(57)【要約】【課題】  蓋部と収納部のロックを容易に行うことができるテープカセット用収納ケースを提供する。【解決手段】  テープカセット５０を収納する収納部１１と、収納部１１の周板２０を囲む外板を有する蓋部１２と、収納部１１及び蓋部１２を開閉可能に連結するヒンジ板部１６と、蓋部１２の外板１２の内側面に形成された係止部３２と、係止部３２と係合するように収納部１１の周板２０の外側面に形成された係合部３１とを備え、係合部３１が周板２０の外側面から突出するように形成され、係止部３２を案内する傾斜面３３を有する。【選択図】  図２
2005239215.tif 000002
【特許請求の範囲】
【請求項１】
テープカセットを収納する位置の周囲に形成された周板を有する収納部と、
前記収納部の前記周板を囲む外板を有する蓋部と、
前記収納部及び前記蓋部を開閉可能に連結するヒンジ板部と、
前記蓋部の前記外板の内側面に形成された係止部と、
前記蓋部を閉じるときに前記係止部と係合するように前記収納部の前記周板の外側面に形成された係合部とを備え、
前記係合部が前記周板の外側面から突出するように形成され、前記係止部を案内する傾斜面を有することを特徴とするテープカセット用収容ケース。
【請求項２】
前記係合部が形成された前記周板が、前記蓋部を閉じた状態で、前記係止部が形成された前記外板から前記ヒンジ部側に退いた位置に設けられていることを特徴とする請求項１に記載のテープカセット用収納ケース。
【発明の詳細な説明】
【技術分野】
【０００１】
本発明は、放送局でテープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、ヒンジ部と、からなるテープカセット用収納ケースが知られている（例えば、特許文献１参照）。
【０００４】
図４は、従来のテープカセット用収納ケースを示す図である。
図４に示すように、従来のテープカセット用収納ケース７０は、ハードタイプのケース本体を有し、ケース本体が、四側壁７２を有する収納部７１と、三側壁７４を有する蓋部７３と、収納部７１の底面板７５及び蓋部７３の天面板７６とがヒンジ７７，７８によって接続され、該蓋部７３を閉じた状態で蓋部７３の一側壁になる連接部７９と、からなる。
【０００５】
蓋部７３の内部において、連接部７９とは反対側の正面側の側壁７４の両端部には鉤部８１を備えた側壁ロック部８０が形成されている。鉤部８１は蓋部７３を閉じた時に、収納部７１の側壁７２に形成されている係止穴８２に係止される。
【０００６】
また、テープカセット用収納ケース７０には、連接部７９とは反対の正面側に、外周縁部８３を欠落させてサイドロック部８４が設けられている。サイドロック部８４は、収納部７１の底面板７５にヒンジ８５を介して接続され、フラップ板８６が設けられており、閉じられた蓋部７３の側壁７４に重ね合わされた時に、フラップ板８６に形成されている鉤部８７が蓋部７３の側壁７４の外表面の係止部（不図示）に係止されてロックされる。
【０００７】
【特許文献１】特開２００２−１７９１７６号公報
【発明の開示】
【発明が解決しようとする課題】
【０００８】
ところが、上記のようなテープカセット用収納ケースでは、蓋部７３を閉じる際に、蓋部７３の側壁７４の上端部が収納部７１の側壁７２の上端部に衝突し、側壁ロック部８０を係止穴８２に係合させるロック操作がスムーズに行えなかった。特に、放送局で使用されるハードタイプのテープカセット用収納ケースにおいては、テープカセットの出し入れ回数が多いために、ロック操作がスムーズに行えないと作業が煩雑になる点で改善の余地があった。
【０００９】
本発明は、上述した事情に鑑みてなされたものであり、その目的は、蓋部と収納部のロックを容易に行うことができるテープカセット用収納ケースを提供することにある。
【課題を解決するための手段】
【００１０】
本発明の上記目的は、テープカセットを収納する位置の周囲に形成された周板を有する収納部と、収納部の周板を囲む外板を有する蓋部と、収納部及び蓋部を開閉可能に連結するヒンジ板部と、蓋部の外板の内側面に形成された係止部と、蓋部を閉じるときに係止部と係合するように収納部の周板の外側面に形成された係合部とを備え、係合部が周板の外側面から突出するように形成され、係止部を案内する傾斜面を有することを特徴とするテープカセット用収容ケースによって達成される。
【００１１】
上記のテープカセット用収容ケースによれば、ヒンジ板部を介して蓋部が回動されて収納部に閉じられるときに、蓋部の係止部が、係合部に形成された傾斜面に接触した状態で係合部に向って案内されつつ、該係合部と係合する。このため、蓋部を閉じる際に、蓋部の外板の端部が収納部の周板の端部に衝突することを抑制して蓋部をスムーズに閉じることができ、蓋部の係止部を収納部の係合部に係合させるロック操作を容易にすることができる。
【００１２】
上記テープカセット用収納ケースは、係合部が形成された周板が、蓋部を閉じた状態で、係止部が形成された外板からヒンジ部側に退いた位置に設けられていることが好ましい。
【００１３】
こうすれば、蓋部を閉じた状態となるように回動するときに、蓋部の外板の端部が収納部の周板の端部に衝突することをより確実に抑制することができる。
【発明の効果】
【００１４】
本発明によれば、蓋部と収納部のロックを容易に行うことができるテープカセット用収納ケースを提供できる。
【発明を実施するための最良の形態】
【００１５】
以下、本発明に係る好適な実施の形態例を図面に基づいて詳細に説明する。図１は、本発明に係るテープカセット用収納ケースの一実施形態を示す斜視図である。図２は、図１に示すテープカセット用収納ケースの要部拡大図である。図３は、図１に示すテープカセット用収納ケースを開閉する状態を示す断面図である。
【００１６】
図１に示すように、テープカセット用収納ケース１０は、テープカセット５０を収納する収納部１１と、この収納部１１を囲む外板１３，１４，１５を有する蓋部１２と、収納部１１及び蓋部１２を開閉可能に連結するヒンジ板部１６と、ヒンジ部１８を介して収納部１１に対して可動に連結されたロック片１７と、が一体成形で構成されている。テープカセット用収納ケース１０は、ポリプロピレン（ＰＰ）等の高分子樹脂を材料として成形されている。
【００１７】
収納部１１の底板１９の外縁部には、テープカセットを収納する位置の周囲に周板２０，２１，２２，２３が立設されている。周板２０は収納部１１の正面側に配され、周板２１は収納部１１の背面側に配され、周板２２，２３は収納部１１の左・右面側に配されている。周板２０，２１，２２，２３の上端の各中央部には、底板１９側へ窪むように凹部２４，２５，２６，２７が形成されている。
【００１８】
収納部１１には、底板１９の中央部に、一対のリール係止リブ２８が形成されている。リール係止リブ２８は、スリットによって周方向に複数に分割された円筒形状を有する。リール係止リブ２８にテープカセット５０の巻取ハブ（不図示）を挿入することにより、テープカセット５０を収納部１１に位置決めする。
【００１９】
収納部１１には、周板２０，２１の内側（図１において２個ずつ）と、周板２２，２３の内側（図１において１個ずつ）とに、四角柱形状を有する角ボス３０が形成されている。各角ボス３０は、テープカセット５０の外周を位置決めすることによって、テープカセット５０を収納部１１内でがたつかないように保持する。
【００２０】
収納部１１には、周板２０の前面における、凹部２４の両側には第１の係合部３１がそれぞれ形成されている。ヒンジ板部１６側に位置する外板１３の内面側両端部には、第１の係止部３２が形成されている。蓋部１２が閉じられる際に、第１の係合部３１と第１の係止部３２とが係合するように構成されている。
【００２１】
蓋部１２には、天板３５の外縁部に周囲の３方を囲むように外板１３，１４，１５が天板３３上にそれぞれ直立して形成されている。蓋部１２を収納部１１に被せた状態で、外板１３が収納部１１の正面に位置するよう形成され、外板１４，１５が収納部１１の両側面に位置するように形成されている。
【００２２】
蓋部１２には、天板３５の外縁部であって、外板１３，１４，１５の端部寄りの位置に、高さの低い四角柱形状の角ボス３７が形成されている。各角ボス３７は、蓋部１２が収納部１１に対して閉じられた際に、テープカセット５０の上面周縁部に当接することによって、テープカセット５０を安定的に支持する。
【００２３】
蓋部１２は、外板１４，１５の内側に、天板３５の上面から外板１４，１５の上端近傍まで延設された四角柱形状の角ボス３８が形成されている。角ボス３８は、蓋部１２が収納部１１に対して閉じられた際に、収納部１１の周板２２，２３の外側面と蓋部１２の外板１４，１５の内側面との間に位置するように設けられ、閉じられた蓋部１２が適正な位置になるように案内する。
【００２４】
ヒンジ板部１６は、収納部１１と蓋部１２との間に、湾曲された板形状に形成されている。ヒンジ板部１６における、収納部１１と蓋部１２に連結する縁辺にはヒンジ４０，４１が形成されている。一方のヒンジ４０は、収納部１１の底板１９の一辺に連結されており、他方のヒンジ４１は、蓋部１２の天板３３の一辺に連結されている。
【００２５】
蓋部１２には、外板１３の外側の中央部に第２の係合部３６が形成されている。
【００２６】
収納部１１の前面側の周板２０における中央部下端には、台形形状を有する板状のロック片１７が連結されている。図２に示すように、ロック片１７は、ヒンジ部１８を介して周板２０側へ折り畳むように可動に形成されている。ロック片１７には、第２の係止部４４が形成されている。
【００２７】
テープカセット用収納ケース１０は、蓋部１２が収納部１１に対して閉じられることにより、第１の係合部３１に第１の係止部３２がそれぞれ係合されてロックした後に、さらに、ロック片１７がヒンジ部１８を介して図１中の上方に向けて立ち上げることにより、第２の係止部４４が蓋部１２の第２の係合部３６に係合されてロックする、所謂、ダブルロックする構成である。
【００２８】
本実施形態のテープカセット用収納ケース１０では、図２に示すように、第１の係合部３１が周板２０の外側面から突出するように形成されている。具体的には、第１の係合部３１は、第１の係止部３２と係合する凹部３１ａと、該凹部３１ａを囲うように突出部３１ｂとが形成されている。突出部３１ｂの上端から周板２０にいたるように傾斜面３３が形成されている。
【００２９】
本実施形態のテープカセット用収容ケース１０によれば、ヒンジ板部１６を介して蓋部１２が回動されて収納部１１に閉じられるときに、蓋部１２の第１の係止部３２が、第１の係合部３１に形成された傾斜面３３に接触した状態で係合部３１の凹部３１ａに向って案内されることで、該第１の係合部３１と係合する。このため、蓋部１２を閉じる際に、蓋部１２の外板１３の先端部１３ａが収納部１１の周板２０の端部に衝突することを抑制して蓋部１２をスムーズに閉じることができ、蓋部１２の係止部３２を収納部１１の係合部３１に係合させるロック操作を容易にすることができる。
【００３０】
また、本実施形態のテープカセットの収納ケース１０では、図３に示すように、各第１の係合部３１が形成された周板２０が、蓋部１２を回動する際に、外板１３における先端部１３ａの回動軌跡Ａに対してヒンジ部１６側に退いた位置に設けられている。また、周板２０における第１の係合部３１の傾斜面３３が、外板１３の回動軌跡Ａ上に配されている。言い換えると、第１の係合部３１が形成された周板２０が、蓋部１２を閉じた状態で、第１の係止部３２が形成された外板１３からヒンジ部１６（図１参照）側に退いた位置に設けられている。
【００３１】
こうすれば、蓋部１２を閉じた状態となるように回動するときに、蓋部１２の外板１３の端部１３ａが収納部１１の周板２０の端部に衝突することをより確実に抑制することができる。
【００３２】
さらに、図２に示すように、第１の係合部３１の凹部３１ａと収納部１１の周縁辺との間には、凹部３１ａをスライドコアで成形した際に、アンダーカットとならないように収納部１１の底板１９と平行な面を有するフラット面３４が形成されている。一般に、蓋部１２と収納部１１との間から塵埃が侵入するの防止するため、両者が噛み合うように、収納部１１における蓋部１２が当接する位置にアンダーカットによって収納部１１における底板外側面側に窪むように構成されている。本願においては、第１の係合部３１における蓋部１２と収納部１１とのロック構造となるため、このロックしている箇所では塵埃の侵入を防止できるため、アンダーカットが不要となる。また、蓋部１２の第１の係止部３２が設けられた箇所の外板１３における先端１３ａには切欠部１３ｂが形成され、蓋部１２を収納部１１に閉じた際に、切欠部１３ｂがフラット面３４の逃げ部となる。このため、アンダーカットをなくすことで、テープカセット用収納ケース１０の成形がより簡単に行うことができ、製造コストを低減できる。
【図面の簡単な説明】
【００３３】
【図１】本発明に係るテープカセット用収納ケースの一実施形態を示す斜視図である。
【図２】図１に示すテープカセット用収納ケースの要部拡大図である。
【図３】図１に示すテープカセット用収納ケースを開閉する状態を示す断面図である。
【図４】従来のテープカセット用収納ケースを示す図である。
【符号の説明】
【００３４】
１０                    テープカセット用収納ケース
１１                    収納部
１２                    蓋部
１３，１４，１５        外板
１６                    ヒンジ板部
２０，２１，２２，２３  周板
３１                    第１の係合部（係合部）
３２                    第１の係止部（係止部）
３３                    傾斜面
５０                    テープカセット
【図１】
2005239215.tif 000003
【図２】
2005239215.tif 000004
【図３】
2005239215.tif 000005
【図４】
2005239215.tif 000006